(57)【要約】      （修正有）【課題】介護用ベッドの下にトイレを設置し、座位姿勢を容易に保持可能とし、介護者の補助を減少させて要介護者並びに介護者双方の労力負担の軽減を実現すると共に、排便されたものの処理も非常に簡単かつ衛生的である介護用ベッドを提供する。【解決手段】ベッド１の床枠２が昇降可能とする。床枠２に敷設するマット３が上半身部３Ａ、中間部３Ｂ及び下半身部３Ｃの三つに分割され、上半身部３Ａ及び下半身部３Ｃは中間部３Ｂとの接続端部を軸として上方へ起立して傾斜可能とし、中間部３Ｂは下降して長手方向へ水平移動可能とする。中間部３Ｂの中央付近直下に便器４が設置され、便器４の凹部は使用者の臀部が入り込む大きさを有し、便座面にネットが着脱可能に張設する。このネットの中央付近には開口部を有し、使用者の臀部荷重で便器４の凹部内へネットが撓みこの開口部が拡大する。【選択図】図２
2009225882.tif 000002
【特許請求の範囲】
【請求項１】
ベッドの床枠が昇降可能となっていること、
床枠に敷設するマットが上半身部、中間部及び下半身部の三つに分割され、上半身部及び下半身部は中間部との接続端部を軸として上方へ起立して傾斜可能になる一方、中間部は下降して長手方向へ水平移動可能となっていること、
中間部の中央付近直下に便器が設置され、便器の凹部は使用者の臀部が入り込む大きさを有し、便座面にネットが着脱可能に張設され、このネットの中央付近には開口部を有し、使用者の臀部荷重で便器の凹部内へネットが撓みこの開口部が拡大すること、
さらに、便器の凹部内に前記撓んだネットを受ける目皿が凹部面から間隔を設けて設置してあり、この目皿にはネットの拡大した開口部に対応する透孔を有し、ネットが臀部荷重で便器の貯水面に接しないように受け止めること、
を特徴とする介護用ベッド装置。
【請求項２】
下半身部を更に二つに分割し、分割面で回動可能に連結し、下半身部の上方への起立に伴い足先側が中間部側から垂下する状態になることを特徴とする請求項1記載の介護用ベッド装置。
【請求項３】
中間部に便器の便座部より大きい切欠孔を便器に対応する上方部分に設け、この切欠孔に緩挿する移動片が下降して長手方向へ水平移動可能としたことを特徴とする請求項1又は２記載の介護用ベッド装置。
【請求項４】
便座又はネットの左右部に着衣係止手段を設けたことを特徴とする請求項1乃至３のいずれかに記載の介護用ベッド装置。
【発明の詳細な説明】
【技術分野】
【０００１】
本発明は、病人や老人など介護の必要な者が使用する介護用のベッドに関する。
詳しくは、寝ながらにして排便を可能ならしめるトイレ機能を備えた介護用ベッドに関するものである。
【背景技術】
【０００２】
従来のこの種ベッドや便器において、例えば特開２００６−３２０６２４号では、ベッド本体における側辺に隣接し使用者の臀部がほぼ位置する箇所を切り欠いてベッド床面及びベッドマットの一部を着脱自在とし、その着脱自在のベッド床面及びベッドマットをベッド本体から取外した際に、代わって取付けられる中央に孔を備えたベッド床面及び便座風ベッドマットを備え、また、切り欠いた箇所の下部には、ベッド接地面からベッド下面までの高さを有し且つ該切り欠いた箇所とほぼ等しい大きさの簡易トイレをベッド外部から自在に設置可能とした構成のもがある。
【０００３】
また、特開２００７−０７５３０９号では、上部に身体を支持でき且つ所定位置に排泄行為可能な透孔部（便座で囲繞した構成や格子状体で構成）が形成されている上方部と、前記透孔部下方に位置して、扁平容器形状（中央部分或いは中央よりずれた箇所を最下位置とし、当該最下位置に向って傾斜している皿碗形状や逆円錐形状を意味する）で、最下部に排出口を有する便器、及び便器内を渦巻状に流れる方向へ放水する放水部、及び排出口下方に排出口と連通し、且つ放流先にトラップ構造を備えた強制排出機構部を有する下方部とを備え、上方部及び下方部を一体化してなると共に、一体化した上下方部を荷重に対応して高さが変化する支持部を備えて使用時高さの調整を行う等の、所定位置にトイレ装置収納孔部を設けてなるマットレスと組み合わせて使用した場合に、上方部上面が前記マットレスの上面の高さと一致する構造としたものもある。
【０００４】
そして、このトイレ装置をマットレスと組み合わせることで、トイレ装置つき介護用ベッド（そのまま畳の上においても使用できる）とすることができ、而も仕入れ装置の上面位置（身体と当接する面）がマットレスの高さと一致するものであるから、トイレ装置を組み込んだまま被介護者は心地良く就床状態を維持でき、同時に被介護人は寝たままの状態で排泄行為が可能であり、排泄物は、透孔部から便器内に落下し、渦流放水で排出口まで洗い流され、排出口下部の強制排出機構部によって、ベッド外に排出される。
【特許文献１】特開２００６−３２０６２４号
【特許文献２】特開２００７−０７５３０９号
【発明の開示】
【発明が解決しようとする課題】
【０００５】
本発明は、介護用ベッドの下にトイレを設置し、座位姿勢を容易に保持可能とし、介護者の補助を減少させて要介護者並びに介護者双方の労力負担の軽減を実現すると共に、排便されたものの処理も非常に簡単かつ衛生的である介護用ベッドを提供することを目的とする。
【課題を解決するための手段】
【０００６】
本発明の請求項１の介護用ベッド装置は、ベッドの床枠が昇降可能となっていること、床枠に敷設するマットが上半身部、中間部及び下半身部の三つに分割され、上半身部及び下半身部は中間部との接続端部を軸として上方へ起立して傾斜可能になる一方、中間部は下降して長手方向へ水平移動可能となっていること、中間部の中央付近直下に便器が設置され、便器の凹部は使用者の臀部が入り込む大きさを有し、便座面にネットが着脱可能に張設され、このネットの中央付近には開口部を有し、使用者の臀部荷重で便器の凹部内へネットが撓みこの開口部が拡大すること、さらに、便器の凹部内に前記撓んだネットを受ける目皿が凹部面から間隔を設けて設置してあり、この目皿にはネットの拡大した開口部に対応する透孔を有し、ネットが臀部荷重で便器の貯水面に接しないように受け止めること、を特徴とするものである。
【０００７】
また、請求項２の介護用ベッド装置は、請求項１において、下半身部を更に二つに分割し、分割面で回動可能に連結し、下半身部の上方への起立に伴い足先側が中間部側から垂下する状態になることを特徴とするものである。
【０００８】
また、請求項３の介護用ベッド装置は、請求項１及び２において、中間部に便器の便座部より大きい切欠孔を便器に対応する上方部分に設け、この切欠孔に緩挿する移動片が下降して長手方向へ水平移動可能としたことを特徴とするものである。
【０００９】
そして、請求項４の介護用ベッド装置は、請求項１乃至３において、便座又はネットの左右部に着衣係止手段を設けたことを特徴とするものである。
【発明の効果】
【００１０】
請求項１の介護用ベッド装置は、床枠に敷設するマットが上半身部、中間部及び下半身部の三つに分割され、上半身部及び下半身部は中間部との接続端部を軸として上方へ起立して傾斜可能になる一方、中間部は下降して長手方向へ水平移動可能となっているため、使用者の上半身が起き上がった状態で排便でき、下半身も上がり排便し易い姿勢となる効果がある。
また、下降して長手方向へ水平移動した中間部の中央付近直下に便器が設置されているため、床枠の降下に伴って、自然に便器に臀部が載ることとなる効果を発揮する。
【００１１】
そして、便器の凹部は使用者の臀部が入り込む大きさを有し、便座面にネットが着脱可能に張設され、このネットの中央付近には開口部を有することにより、使用者の臀部荷重で便器の凹部内へネットが撓み、同時に開口部が拡大するため、使用者の臀部はネットで支えられ安心感を与える効能を発揮し、ネットの開口部が便器内へ沈み込むに従って大きく開口して確実に便器内に排泄できる効果を有する。
【００１２】
さらに、便器の凹部内に前記撓んだネットを受ける目皿が凹部面から間隔を設けて設置してあり、ネットが臀部荷重で便器の貯水面に接しないように受け止めるため、過度の落ち込みを防止して便器内の水で臀部が濡れることを防止する効果を有し、目皿にはネットの拡大した開口部に対応する透孔を有するため、排泄物は目皿を通過して便器内に排泄できる効果を発揮するのである。
【００１３】
請求項２の発明は、加えて、下半身部を更に二つに分割し、分割面で回動可能に連結したため、下半身部の上方への起立に伴い足先側が中間部側から垂下する状態になって、脚の膝を立てた恰好となり、より楽な状態で排便できる効果を有する。
【００１４】
請求項３の発明は、中間部に便器の便座部より大きい切欠孔を便器に対応する上方部分に設け、この切欠孔に緩挿する移動片が下降して長手方向へ水平移動可能としたため、必要最小限の範囲で可動片とすることが出来、臀部の部分のみが消失するため、寝ている人の不安感が軽減させる効果を有する。
【００１５】
請求項４の発明は、便座又はネットの左右部に着衣係止手段を設けたことを特徴とし、重なり合った排出用咬み合い開口部が設けてある下着の排出開口部の左右部と係止して、ネットが伸びて体が便器に沈みこむに従い、下着の左右の咬み合い部が開いて捲り上げていって臀部を露出させることができる効果を発揮するのである。
【発明を実施するための最良の形態】
【００１６】
次に本発明の実施の形態を図面に基づいて説明する。
図１及び図２は本発明の一実施の形態を示すベッドと便器との関係を示す簡略な正面図である。
ベッド１は、ベッド本体１、ベッド床枠２、マット３より構成され、ベッド床枠２（マット３）の下方に便器４がベッド１と同一の設置面５に設置されている。
【００１７】
マット３は、ベッド１のベッド床枠２が昇降可能となっているため、従動して昇降する。
ベッド床枠２に敷設するマット３は上半身部３Ａ、中間部及３Ｂ及び下半身部３Ｃの三つに分割され、少なくとも各分割部分の周囲の底端部はベッド床枠２の周囲桟及び短辺側桟で支承されている。
【００１８】
上半身部３Ａ及び下半身部３Ｃは中間部３Ｂとの接続端部に設けた軸を回動軸として上方へ起立して傾斜可能と成り、中間部３Ｂ上に位置する臀部に体重が掛かることとなる。
上半身部３Ａ及び下半身部３Ｃ起立させるための手段として、公知の装置が多数提案されており、適宜選択利用できるが、例えば起倒用シリンダー２１をベッド床枠２に設置したシリンダーのシリンダーロッドと上半身部３Ａ及び下半身部３Ｃと連繋することも考えられる。
【００１９】
一方、中間部３Ｂは下降して長手方向へ水平移動可能と成っている。
図面では、ベッド床枠２の長手方向へ対向して当着した溝レール２２にスライド可能（下半身３Ｃ方向へ）に移動体３１を渡設し、移動体３１に昇降用シリンダー３２を中間部３Ｂと連繋し、移動体３１に横移動用シリンダー２３をベッド床枠２と連繋して操作するようにすることでも良い。
【００２０】
また、下半身部３Ｃを更に二つに分割し、分割面で回動可能に連結して、下半身部３Ｃの上方への起立に伴い足先側３０Ｃが中間部側から垂下するようにしても良い。
下半身部３Ｃの起立に伴い足先側３０Ｃが折れて垂下し、寝ている人は脚の膝を立てた恰好となり、より楽な状態で排便できるものとなる。
【００２１】
さらに、中間部３Ｂに便器４の便座４１より大きい切欠孔を便器４に対応する上方部分に設け、この切欠孔に緩挿する移動片が下降して長手方向へ水平移動するものとしても良い。
移動させる部分を必要最小限の範囲とすることが出来、臀部の部分のみが消失するため、寝ている人の不安感が軽減されるものとなる。
【００２２】
一方、ベッドに寝ている人の臀部に当たり、中間部３Ｂの略中央部分の直下には便器４が設置されており、便器４は公知の便器を利用すればよく、水洗機能を有する便器や移動可能な簡易便器等の各種の便器を使用できるものである。
更に、ベッド床枠２自体も昇降可能であり、公知の装置が多数提案されている中から適宜選択利用でき、前記中間部３Ｂが下降して水平移動した後、降下して便器４の便座４１とマット３との面が面一となるまで降下するように設定するものとし、ベッド１に寝ている人の臀部が便座４１に載るものとなる。
【００２３】
図３は本発明の一実施の形態を示す便器の断面図であり、便器４の凹部４２は使用者の臀部が入り込む大きさを有し、便座４１の面にネット６が着脱可能に張設され、ネット６は便座４１の下縁に適宜金具６２で取り付ける。
図４は本発明の一実施の形態を示すネット６の平面図で、ネット６の中央付近には開口部６１を有し、使用者の臀部がネットに載ると、臀部の荷重で便器の凹部４２内へネット６が伸びて撓んで下がり、この開口部６１が拡大してより大きな開口となる。
ネット６の材質は樹脂、ゴム等であり、防水塗装、耐水性、弾力性、復元力の強いものが好ましい。
【００２４】
そして、便器４の凹部４２内には、前記撓んだネット６を受ける目皿７が設置してある。
この目皿７には多数の脚７１が下設してあり、凹部４２の面から間隔が形成されるため、臀部の荷重で撓んで下がったネット６が凹部４２内の貯水面に接しないように受け止めるものである。
また、目皿７には、ネット６の拡大した開口部６１に対応する透孔７２が設けられており、排泄物はネット６の開口部６１及び目皿７の透孔７２を通過して便器内に落下するのである。
【００２５】
図４では、便器４の凹部４２に透孔７１を設けた目皿７と、目皿７上の便座４１の面に着脱可能に張設したネット６とは夫々の単体として形成しているけれど、一体として成形して便器４の凹部４２に設置するものとしても良い。
【００２６】
図５は、ネット及び目皿を省略した本発明の一実施の形態を示す便器の断面図であり、便座４１の左右部に着衣係止手段４３を設けたものであり、着衣係止手段４３には、例えば面テープがある。
一方、寝たきりの人の着衣８として、お腹から尻・背中にかけて、大きく重なり合った露出用開口部８１が設けてあり、この排出開口部８１の左右に面テープ８２が取り付けたものがある。
【００２７】
ここで、寝たきりの人が排便時において、上記ベッドの作動により、便座４１の左右に取り付けた着衣係止手段４３（以下、着衣係止面テープ４３という。）と着衣の排出開口部８１の面テープ８２とが仮着し、更に臀部の荷重でネット６が伸び、便器４の凹部４２内へ体が沈みこんでも、下着の左右に取り付けた面テープは便座に留まっているため、着衣８を捲り上げ、露出用開口部８１は左右に広がって、臀部が便器４の凹部４２内に露出するのである。
この場合、臀部の露出が確実となるように便器内への沈降が深めとなるようにする必要が考えられる。
【００２８】
排出後、上半身部３Ａ及び下半身部３Ｃを水平位置に戻せば、臀部は持ち上がり、大きく広がった露出用開口部８１は窄まって元に戻ることになる。
図面では、着衣係止手段４３は便座４１の左右部に設けたけれど、ネットの便座上の左右に設けても同様の作用効果を奏するものである。
【図面の簡単な説明】
【００２９】
【図１】本発明の一実施の形態を示すベッドと便器との関係を示す簡略な正面図である。
【図２】本発明の一実施の形態を示すベッドと便器との関係を示す簡略な正面図である。
【図３】本発明の一実施の形態を示す便器の断面図である。
【図４】本発明の一実施の形態を示すネットの平面図である。
【図５】ネット及び目皿を省略した本発明の一実施の形態を示す便器の断面図である。
【符号の説明】
【００３０】
１  ベッド
２  ベッド床枠
３  マット
３Ａ  上半身部
３Ｂ  中間部
３Ｃ  下半身部
４  便器
４１  便座
４２  凹部
４３  着衣係止手段
５  設置面
６  ネット
６１  開口部
７  目皿
７１  脚
７２  透孔
８  着衣
８１  露出用開口部
【図１】
2009225882.tif 000003
【図２】
2009225882.tif 000004
【図３】
2009225882.tif 000005
【図４】
2009225882.tif 000006
【図５】
2009225882.tif 000007